(57)【要約】  本発明の課題は、電子ビーム放射器を軸方向に大きく延ばすこと無しに動作する、電子光学式ビーム誘導部材を大幅に不要とする電子ビームＸ線コンピュータトモグラフィ装置を提示することである。本発明では、Ｘ線検出器円弧配列（６）とターゲット（４）が、照射平面の中の検査横断面の周りに配置され、電子ビーム発生器（１）で発生した電子ビームが、一つ又は複数の縦コイルの磁界発生領域内に半径方向に投入されて、その磁界により円軌道上に押し込まれる。磁界強度の周期的な変化によって、この円軌道の半径が拡大され、そのことが、電子ビームが接線沿って移動するフォーカルスポット（７）においてターゲット（４）に当たるようにする。ターゲットを取り囲むＸ線検出器（６）により、本装置の中央に有る物体（８）の放射線透視像が記録される。この電子ビーム発生器（１）は、縦コイル（３）の中でも外でも配置することができる。更に、ターゲット平面及びＸ線検出器平面は、軸方向にずらした形又はずらさない形で配置することができる。
2016510162.tif 000002
【特許請求の範囲】
【請求項１】
ａ）真空室（２）の中に配置された電子ビーム発生器（１）と、
ｂ）電子ビームを半径方向に偏向するための一つ又は複数の薄い縦コイル（３）と、
ｃ）真空室の中に配置された、電子ビーム（５）を制動するとともに、Ｘ線制動ビームを発生する単一又は多数のターゲット（４）と、
ｄ）互いに接して並べた個別検出器から成る部分円又は全円形状の少なくとも一つのＸ線検出器円弧配列（６）と、
を有する電子ビームＸ線コンピュータトモグラフィ装置であって、
ｅ）電子ビーム発生器（１）は、発生した電子ビーム（５）を半径方向に対して縦コイル（３）の主平面の方向に発射するように配置され、
ｆ）縦コイル（３）の周縁領域内に、一つ又は複数の制動ビームターゲット（４）が同心に配置され、
ｇ）Ｘ線検出器円弧配列（６）が、ターゲット半径の内側又は外側に配置され、
ｈ）Ｘ線検出器平面が、ターゲット平面に対して軸方向にずらした形又はずらさない形で配置されている、
装置。
【請求項２】
Ｘ線検出器円弧配列（６）が真空室（２）の外に配置され、真空室（２）が、Ｘ線の僅かな減衰を保証する薄手の材料から構成されることを特徴とする請求項１に記載の装置。
【請求項３】
縦コイル（３）が真空室（２）内に閉じ込められていることを特徴とする請求項１に記載の装置。
【請求項４】
縦コイル（３）が真空室（２）の外に配置され、真空室（２）が反磁性材料から構成されることを特徴とする請求項１に記載の装置。
【請求項５】
一つ又は少ない巻線だけから成る一つ又は複数の縦コイル（３）が実現されていることを特徴とする請求項１に記載の装置。
【請求項６】
電子ビーム発生器（１）、ターゲット（４）及び／又はＸ線検出器円弧配列（６）が軸方向に多重に配置され、縦コイルが相応に軸方向に延びており、そのようにして同期多面トモグラフィを実現可能であることを特徴とする請求項１に記載の装置。
【請求項７】
制動ビームターゲット（４）がＸ線検出器円弧配列（６）の前に有り、小さい密度の材料から構成され、その内側に、大きな原子数の材料から成る薄いＸ線変換層を被膜していることを特徴とする請求項１に記載の装置。
【請求項８】
ターゲット平面が歯形に構造化されていることを特徴とする請求項１に記載の装置。
【請求項９】
電子ビーム発生器（１）が縦コイル（３）の中に有ることを特徴とする請求項１に記載の装置。
【請求項１０】
電子ビーム発生器（１）が縦コイル（３）の外に有り、電子ビームが、縦コイルの間の軸方向の隙間を通して磁界発生領域内に発射されることを特徴とする請求項１に記載の装置。
【発明の詳細な説明】
【技術分野】
【０００１】
本発明は、電子ビームＸ線コンピュータトモグラフィ装置に関する。電子ビームＸ線コンピュータトモグラフィは、例えば、数年前から、特に、鼓動する心臓の画像処理のために医学診療で使用されるか、或いはプロセストモグラフィにおいて、非常に高い時間分解能及び空間分解能でフロー事象の断層画像シーケンスを生成するために使用されている。
【背景技術】
【０００２】
この場合、真空室内に導入された電子ビームは、電磁偏向システムを用いて部分円形状の金属ターゲットを介して誘導され、それにより、速く移動するＸ線フォーカルスポットを生成している。ターゲットに対して僅かに軸方向にずらして配置された円形状又は部分円形状のＸ線検出器は、物体を通過して伝送されて来たＸ線を検出する。そして、測定データから、トモグラフィ画像再構成方法を用いることによって、透視した断面における密度分布を計算することができる。
【０００３】
特許文献１は、静止した電子銃からの電子ビームを軸方向からターゲットに案内する、そのようなシステムを記載している。その場合、特許文献１に記載された装置の偏向コイルパッケージの実現可能な偏向角が制限されているので、満足できる直径のフォーカルスポット軌道を達成するためには、画像平面に対する電子銃の軸方向の大きな間隔が必要である。それは、ビーム形成及びビーム誘導時の負担を増大させ、それにより、受容体容積が大きくなるので、真空ポンプシステムの負担が増大して、検査すべき物体の軸方向における大きさを制限することとなる。更に、その装置は、電子ビームと物体が部分的に互いに邪魔になるので、トモグラフィスキャンに関する実現可能な投影角を制限している。同じことが特許文献２にも言える。特許文献３は、プロセストモグラフィで使用できる、軸方向のずれの無い高速スキャン用システムを記載している。その場合でも、前述した制限が当て嵌まり、技術的な負担を増大させている。それと同時に、軸方向から斜めにターゲットに導入される電子ビームの構造形状が、配管内のフロー検査時に、フランジ、計器、それらと同様の半径方向に突き出た部品に対する電子ビームＸ線コンピュータトモグラフィシステムの最小間隔を必要としている。それは、実施可能な検査物体及び検査場所の選択時にそれと関連する制限を加え、そのため、利用可能性を制限することとなる。
【先行技術文献】
【特許文献】
【０００４】
【特許文献１】米国特許公開第４，３５２，０２１号明細書
【特許文献２】米国特許公開第２００３／０１６１４３４号明細書
【特許文献３】ドイツ特許公開第１０２００７００８３４９号明細書
【発明の概要】
【発明が解決しようとする課題】
【０００５】
本発明の課題は、前記の欠点を軽減したＸ線コンピュータトモグラフィ装置を提示することである。
【課題を解決するための手段】
【０００６】
本課題は、請求項１の特徴により解決される。本発明の実施形態は、従属請求項に詳述されている。
【０００７】
本課題は、電子ビームＸ線コンピュータトモグラフィシステムの軸方向の構造の大きさを大幅に縮小し、その結果、このシステムが、負担のかかるビーム形成システム及びビーム誘導システム無しに動作できることによって解決される。それによって、放射線の角度範囲が拡大される。
【０００８】
本発明による装置では、一つ又は複数の縦コイルを使用して、そのコイルの主平面の方向に発射された電子ビームをそのコイルの磁界内で円軌道上に押し込めている。
【０００９】
このコイル対の周縁には、制動ビームターゲットと検出器リングが有る。磁界強度を周期的に増減することによって、この電子ビームの円軌道の半径を周期的に変化させ、それによって、電子ビームがターゲット壁と衝突し、その結果、フォーカルスポットがターゲットに沿って円形に移動し、そのため、制動ビーム源スポットがシステムの縦軸の周りを回転することとなる。物体は、本装置の縦軸を通って延びる。
【００１０】
本発明によるＸ線コンピュータトモグラフィ装置の主要な利点は、このシステムの軸方向に必要な構造空間が小さくなり、それにより、狭い環境での計器及びフランジに近い非接触測定に関しても使用できることである。更に、このシステムは、非常に大きな投影角を実現し、そのことが、ターゲット／検出器の直径と比べて大きな直径の物体のアーチファクトの無い再構成を可能とする。本発明によるシステムが負担のかかるビーム形成及びビーム誘導システム無しに動作し、それにより操作に際し堅牢であることが有利である。
【００１１】
本発明による装置は、
ａ）真空室（２）の中に配置された電子ビーム発生器（１）と、
ｂ）電子ビームを半径方向に偏向するための一つ又は複数の縦コイル（３）と、
ｃ）真空室の中に配置された、電子ビーム（５）を制動するとともに、Ｘ線制動ビームを発生する単一又は多数のターゲット（４）と、
ｄ）互いに接して並べた個別検出器から成る部分円又は全円形状の少なくとも一つのＸ線検出器円弧配列（６）と、
を有し、
ｅ）電子ビーム発生器（１）は、発生した電子ビーム（５）を半径方向に対して縦コイルの主平面の方向に発射できるように配置され、
ｆ）縦コイル（３）の周縁領域内に、一つ又は複数の制動ビームターゲット（４）が同心に配置され、
ｇ）Ｘ線検出器円弧配列（６）が、ターゲット半径の内側又は外側に配置され、
ｈ）Ｘ線検出器平面が、ターゲット平面に対して軸方向にずらした形又はずらさない形で配置される。
【００１２】
これらの縦コイルは、真空室の中又は外に配置することができる。縦コイルを真空室の外に配置する場合、真空室（２）の外壁は、有利には、反磁性材料から構成される。
【００１３】
有利には、薄い縦コイルが使用される。薄い縦コイルとは、本発明の意味において、一定数又は少数の巻線だけから成るコイルである、即ち、コイルの直径がその長さよりも著しく大きい。
【００１４】
一つの変化形態では、Ｘ線検出器円弧配列（６）は、真空室（２）の外に配置され、その場合、真空室（２）は、有利には、Ｘ線の僅かな減衰を保証する薄手の材料から構成される。
【００１５】
特別な変化形態は、同期多面トモグラフィを実現することができる。この変化形態では、電子ビーム発生器（１）、ターゲット（４）及びＸ線検出器円弧配列（６）が軸方向に多重に、理想的には互いに重なり合って配置される。この縦コイルは、相応に軸方向に延びるか、或いは複数の縦コイルが使用される。
【００１６】
理想的には、制動ビームターゲット（４）は、それがＸ線検出器円弧配列（６）の前に配置されている場合、薄い密度の材料から構成され、制動ビームターゲット（４）の内側には、大きな原子番号の材料から成る薄いＸ線変換層を被膜される。
【００１７】
別の変化形態では、このターゲット表面は、歯形に構造化された形で実現することができる。
【００１８】
この電子ビーム発生器（１）は、縦コイル（３）の中でも外でも配置することができる。電子ビーム発生器（１）を縦コイル（３）の外に配置する場合、電子ビームは、縦コイルの間の軸方向の隙間を通して磁界発生領域内に発射される。
【００１９】
有利には、これらの縦コイルは対にして使用される。
【００２０】
以下において、実施例により本発明を詳しく説明する。
【図面の簡単な説明】
【００２１】
【図１】ビーム発生器を内側に配置した全体構成図
【図２】ビーム発生器を外側に配置した全体構成図
【発明を実施するための形態】
【００２２】
図１と２は、本装置の二つの実施例を図示している。両方の場合において、本装置は、リング形状のターゲット（４）と、そのターゲット（４）の外に配置された、隣接して並んだ個別検出器から構成することができるＸ線検出器円弧配列（６）とを有する。この場合、Ｘ線検出器円弧配列（６）は、ターゲット（４）に対して僅かに軸方向にずらさない形でも、ずらした形でも配置することできる。
【００２３】
図１は、電子ビーム発生器（１）が縦コイル（３）の中に配置された変化形態を図示している。
【００２４】
この電子ビーム（５）は、真空室（２）内において、電子ビーム発生器（１）で生成されて、縦コイル（３）の磁界発生領域内でローレンツ力により円軌道上に押し込められる。コイル電流の周期的な変化と、それによる磁界強度の変化によって、電子ビーム（５）の円軌道の半径が変化し、それにより、電子ビーム（５）は、円軌道上を移動する、制動ビームを放射するフォーカルスポット（７）においてターゲット（４）に当たる。本装置の中央には、真空室（２）の外に、検査すべき物体が有り、その異なる投影角からの放射線透視像のデータセットが、検出器円弧配列（６）によって記録される。
【００２５】
図２に図示された変化形態では、電子ビーム発生器（１）は、縦コイル（３）の外に有り、電子ビームは、それらの縦コイル（３）の間の軸方向の隙間を通過して磁界発生領域に進む。この装置の利点は、使用する電子ビーム発生器を容易に交換できることである。
【符号の説明】
【００２６】
１    電子ビーム発生器
２    真空室
３    一つ又は複数の縦コイル
４    ターゲット
５    電子ビーム
６    Ｘ線検出器円弧配列
７    Ｘ線源スポット
８    物体
【図１】
2016510162.tif 000003
【図２】
2016510162.tif 000004
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
ａ）電子ビーム（５）を発生する電子ビーム発生器（１）であって、真空室（２）の中に配置された電子ビーム発生器（１）と、
ｂ）電子ビーム（５）を半径方向に偏向するためのコイル磁界を発生する一つ又は複数の縦コイル（３）と、
ｃ）真空室（２）の中に縦コイル（３）の周囲領域に縦コイルと同心に配置された、電子ビーム（５）を制動するとともに、Ｘ線制動ビームを発生する一つ又は複数の制動ビームターゲット（４）と、
ｄ）部分円又は全円形状の少なくとも一つのＸ線検出器円弧配列（６）と、
を有する電子ビームＸ線コンピュータトモグラフィ装置であって、
ｅ）本装置は、電子ビーム（５）を縦コイル（３）の主平面の方向に発射して、電子ビーム（５）をコイル磁界内の円軌道上に押し込めるように構成され、
ｆ）本装置は、縦コイル（３）のコイル磁界の強度を周期的に増減して電子ビーム（５）の円軌道の半径を変化させて、電子ビーム（５）が円軌道上を移動するフォーカルスポット（７）において制動ビームターゲット（４）に当たるように構成されている、
装置。
【請求項２】
Ｘ線検出器円弧配列（６）が真空室（２）の外に配置されていることを特徴とする請求項１に記載の装置。
【請求項３】
縦コイル（３）が真空室（２）内に閉じ込められていることを特徴とする請求項１又は２に記載の装置。
【請求項４】
縦コイル（３）が真空室（２）の外に配置され、真空室（２）が反磁性材料から構成されることを特徴とする請求項１又は２に記載の装置。
【請求項５】
縦コイル（３）の直径がそれぞれその長さよりも大きいことを特徴とする請求項１から４までのいずれか一つに記載の装置。
【請求項６】
電子ビーム発生器（１）、ターゲット（４）及び／又はＸ線検出器円弧配列（６）が軸方向に多重に配置され、縦コイル（３）が相応に軸方向の延びに渡って延びており、そのようにして同期多面トモグラフィを実現可能であることを特徴とする請求項１から５までのいずれか一つに記載の装置。
【請求項７】
制動ビームターゲット（４）がＸ線検出器円弧配列（６）の前に有ることを特徴とする請求項１から６までのいずれか一つに記載の装置。
【請求項８】
ターゲット平面が歯形に構造化されていることを特徴とする請求項１から７までのいずれか一つに記載の装置。
【請求項９】
電子ビーム発生器（１）が縦コイル（３）の中に有ることを特徴とする請求項１から８までのいずれか一つに記載の装置。
【請求項１０】
電子ビーム発生器（１）が縦コイル（３）の外に有り、電子ビームが、縦コイルの間の軸方向の隙間を通して磁界発生領域内に発射されることを特徴とする請求項１から３及び５から８までのいずれか一つに記載の装置。
【国際調査報告】
2016510162.tif 000005
2016510162.tif 000006
2016510162.tif 000007
2016510162.tif 000008
2016510162.tif 000009
2016510162.tif 000010